(57)【特許請求の範囲】
【請求項１】
薬剤を薬剤容器から注入セットに送達する携帯式輸液システムであって、所定の通常作動値を有する少なくとも１つの輸液システムの作動パラメータを表示する携帯式輸液システムにおいて、
輸液ポンプと、
前記薬剤の送達関係において前記薬剤容器に前記輸液ポンプを作動可能に接続する上流側の送達ラインと、
前記薬剤の送達関係において前記注入セットに前記輸液ポンプを作動可能に接続する下流側の送達ラインと、
前記輸液ポンプの動作を制御するように構成される制御システムと、
前記制御システムに作動可能に接続され、前記輸液システムの少なくとも１つの作動パラメータを検出するように適用される少なくとも１つのセンサと、
表示装置と、前記制御システムに作動可能に接続され、かつ前記輸液システムとの相互作動に適用される制御パッドとを含むユーザインタフェースとを含み、
前記制御システムは更に、
前記少なくとも１つの輸液システムの作動パラメータが前記所定の通常作動値の範囲外となったことを前記少なくとも１つのセンサが検出した場合、警報を表示し、制御システムガイド手順を前記表示装置において表示して、前記少なくとも１つの作動パラメータを修正して前記所定の通常作動値に戻すことに適用された、誘導ユーザ支援システムを備える、携帯式輸液システム。
【請求項２】
前記誘導ユーザ支援システムが、前記表示装置上に複数の可能な手順を表示するように構成される、請求項１に記載のシステム。
【請求項３】
前記複数の可能な手順が順次表示される、請求項２に記載のシステム。
【請求項４】
前記複数の可能な手順が、前記最も一般的な可能な解決策から順次表示される、請求項３に記載のシステム。
【請求項５】
前記複数の可能な手順のシーケンスが、前記制御パッドへの入力を介して進められる、
請求項３に記載のシステム。
【請求項６】
前記誘導ユーザ支援システムが、前記作動パラメータの値の修正の際にユーザの支援要求を受け取った後でのみ前記可能な手順を表示する、請求項１に記載のシステム。
【請求項７】
前記誘導ユーザ支援システムが、前記作動パラメータの値の修正のための最も一般的な手順である前記可能な解決策を表示する、請求項１に記載のシステム。
【請求項８】
前記誘導ユーザ支援システムがさらに、前記作動パラメータの値が修正されない場合にカスタマイズされた支援メッセージを表示するように構成される、請求項１に記載のシステム。
【請求項９】
前記カスタマイズされた支援メッセージが、電話番号、ｅメールアドレス、連絡先、またはＵＲＬのうち少なくとも一つを備える、請求項８に記載のシステム。
【請求項１０】
掛け金で前記制御モジュールに装着され、前記制御モジュールと共に選択的にロック可能であるカセットをさらに備え、前記作動パラメータがカセット挿入センサ、カセット掛け金センサ、およびカセットロックセンサから成る群から選択されるセンサによって検出される、請求項１に記載のシステム。
【請求項１１】
患者へ薬剤を送達する管をさらに備え、前記作動パラメータが下流閉塞センサ、上流閉塞センサ、および空気検知器から成る群から選択されるセンサによって検出される、請求項１に記載のシステム。
【請求項１２】
前記誘導ユーザ支援システムが、前記作動パラメータが修正されれば表示を自動的に停止するように構成される、請求項１に記載のシステム。
【請求項１３】
前記作動パラメータの値はエラーに関連し、前記エラーが、管内の空気、閉塞、前記輸液ポンプのポンピング機構の動作に関連するエラー、電池または電源に関連するエラー、不適切な治療送達設定に関連するエラー、前記輸液ポンプの容器内の薬剤の不足または欠如、不適切な薬剤カセット、不適切に装填された薬剤カセット、施錠されていない薬剤カセット、不適切なキー挿入、ＰＣＡ投与コードに関連するエラー、前記輸液ポンプへの外部付属物に関連するエラー、およびセンサに関連するエラーから成る群から選択される、請求項１に記載のシステム。
【請求項１４】
ユーザを誘導して携帯式輸液システム内での作動パラメータを修正する方法であって、前記携帯式輸液システムは、薬剤を薬剤容器から注入セットに送達し、所定の通常作動値を有する少なくとも１つの輸液システムの作動パラメータを表示し、輸液ポンプと、前記薬剤の送達関係において前記薬剤容器に前記輸液ポンプを作動可能に接続する上流側の送達ラインと、前記薬剤の送達関係において前記注入セットに前記輸液ポンプを作動可能に接続する下流側の送達ラインと、前記輸液ポンプの動作を制御するように構成される制御システムと、前記制御システムに作動可能に接続され、前記輸液システムの少なくとも１つの作動パラメータを検出するように適用される少なくとも１つのセンサと、表示装置と、前記制御システムに作動可能に接続され、かつ前記輸液システムとの相互作動に適用される制御パッドとを含むユーザインタフェースとを含む、方法において、
携帯式輸液システム内の作動パラメータを特定することと、
前記作動パラメータが所定の正常な作動値の範囲外となった場合、前記作動パラメータに関連する警報を提供することと、
前記作動パラメータを修正して前記所定の正常な作動値に戻すための第１の可能な手順を表示することと、
を備える、ユーザを誘導して携帯式輸液システム内での前記作動パラメータを修正する方法。
【請求項１５】
前記作動パラメータの修正の際に支援要求を受け取ることをさらに備える、請求項１４に記載の方法。
【請求項１６】
前記第１の可能な手順の表示前に、前記作動パラメータの修正の際に前記支援要求を受け取ることをさらに備える、請求項１５に記載の方法。
【請求項１７】
前記作動パラメータ修正のための第２の可能な手順を表示することをさらに備える、請
求項１４に記載の方法。
【請求項１８】
追加の支援要求を受け取った後でのみ第２の可能な手順を表示する前記ステップが行われる、請求項１７に記載の方法。
【請求項１９】
前記作動パラメータに対する最も見込みの高い可能な手順を決定することと、最も見込みの高い可能な手順を前記第１の可能な手順として表示することと、前記作動パラメータに対する次に見込みの高い可能な手順を決定することと、前記次に見込みの高い可能な手順を前記第２の可能な手順として表示することと、をさらに備える、請求項１８に記載の方法。
【請求項２０】
前記作動パラメータに対する少なくとも一つの追加の見込みのある可能な手順を決定することと、前記少なくとも一つの追加の見込みのある可能な手順を前記第２の可能な手順の後に表示することと、をさらに備える、請求項１９に記載の方法。
【請求項２１】
前記可能な手順を表示することが、前記特定の作動パラメータ修正のための最も一般的な解決策に基づき前記第１の可能な手順を選択することを含む、請求項１４に記載の方法。
【請求項２２】
すべての可能な手順の表示後に追加の支援要求を受け取った後、カスタマイズされた支援メッセージを表示することをさらに備える、請求項１４に記載の方法。
【請求項２３】
カスタマイズされた支援メッセージを表示することが、電話番号、ｅメールアドレス、ＵＲＬ、または連絡先のうち少なくとも一つを表示することを備える、請求項２２に記載の方法。
【請求項２４】
前記作動パラメータが修正される場合に前記警報と前記第１の可能な手順の表示とを自動的に停止することをさらに備える、請求項１４に記載の方法。
【請求項２５】
前記作動パラメータの値はエラーに関連し、前記エラーが、管内の空気、閉塞、前記輸液ポンプのポンピング機構の動作に関連するエラー、電池または電源に関連するエラー、不適切な治療送達設定に関連するエラー、前記輸液ポンプの容器内の薬剤の不足または欠如、不適切な薬剤カセット、不適切に装填された薬剤カセット、施錠されていない薬剤カセット、不適切なキー挿入、ＰＣＡ投与コードに関連するエラー、前記輸液ポンプへの外部付属物に関連するエラー、およびセンサに関連するエラーから成る群から選択される、請求項１４に記載の方法。
【発明の詳細な説明】
【技術分野】
【０００１】
本発明は概して携帯式輸液システムに、特に携帯式輸液システム用の誘導ユーザ支援システムに関する。
【背景技術】
【０００２】
携帯式輸液ポンプは、様々な薬物治療の提供に有効である。携帯式輸液ポンプは、長期間にわたり送達しなければならない治療にとって特に有益であり得る。
携帯式輸液ポンプは病院または臨床環境で通常使用されるが、病院環境から外来患者や自宅環境へ治療送達がシフトされるため、薬物を安全に送達するための信頼性の高い有効な家庭用携帯式ポンプが必要とされる。しかしながら、患者の家庭での携帯式輸液ポンプの使用に伴う問題は、患者とその家族が通常は装置の使用について専門的な訓練を受けていないことである。よって、装置の運転時に問題が生じた場合、患者はその問題の修正方法を知らないことが多い。このため、患者は問題を修正するため、看護師やその他の外部介護者を呼ばなければならず直接訪問を必要とすることが多い、あるいは問題を説明し修正しようとするのにカスタマヘルプラインとの電話に長い時間を要する。したがって、家庭環境で携帯式輸液ポンプのエラーを修正する、より迅速で信頼性の高い方法が患者にとって必要とされる。
【発明の概要】
【発明が解決しようとする課題】
【０００３】
携帯式輸液ポンプは、在宅医療援助またはその他の医療専門家を呼ぶ必要なしにユーザがポンプのエラーを修正できる誘導ユーザ支援システムを含むことができる。エラーがポンプで生じると、ユーザはオプションを選択してエラーの支援を受けることができる。ヘルプ画面は、ユーザが従うことのできるエラー修正のための可能な解決策を表示することができる。追加のヘルプ画面は、先の可能な解決策が問題の修正に有効でないことが証明されれば、追加の可能な解決策を表示することができる。
【課題を解決するための手段】
【０００４】
一実施形態では、携帯式輸液システムは、輸液ポンプと、輸液ポンプの動作を制御するように構成される制御システムと、表示装置と制御システムを動作させる制御パッドとを含む制御モジュールと、を含む。誘導ユーザ支援システムは、表示装置上に表示され、制御パッドを用いて動作可能であるように構成することができる。エラーの検出に応答して、誘導ユーザ支援システムは、表示装置上に可能な解決策を表示するように構成することができる。いくつかの実施形態では、誘導ユーザ支援システムは、複数の可能な解決策を順次表示することができる。
【０００５】
一実施形態では、ユーザは、携帯式輸液システムでのエラーを修正するように誘導され得る。まず、携帯式輸液システムのエラーが特定される。次に、警報は、携帯式輸液システムの制御モジュールに提供されて、ユーザにエラーを伝えることができる。次に、ユーザはエラーを修正する際に支援を要求することができる。ユーザの支援要求に応答して、エラー修正のための可能な解決策を制御モジュールの表示画面に表示することができる。ユーザが追加の支援を要求する場合、追加の可能な解決策を表示することができる。
【図面の簡単な説明】
【０００６】
本発明は、添付図面と組み合わせて、本発明の各種実施形態の以下の詳細な説明を考慮して、より完全に理解され得る。
【図１】本発明の一実施形態にかかる携帯式輸液ポンプの前斜視図である。
【図２】本発明の一実施形態にかかる携帯式輸液ポンプの後斜視図である。
【図３】本発明の一実施形態にかかる携帯式輸液ポンプの前面図である。
【図４】本発明の一実施形態にかかる誘導ユーザ支援システムのフローチャートである。
【図５Ａ】本発明の一実施形態にかかる誘導ユーザ支援システムを有する携帯式輸液ポンプの図である。
【図５Ｂ】本発明の一実施形態にかかる誘導ユーザ支援システムを有する携帯式輸液ポンプの図である。
【図５Ｃ】本発明の一実施形態にかかる誘導ユーザ支援システムを有する携帯式輸液ポンプの図である。
【図５Ｄ】本発明の一実施形態にかかる誘導ユーザ支援システムを有する携帯式輸液ポンプの図である。
【図６Ａ】本発明の一実施形態にかかる誘導ユーザ支援システムを有する携帯式輸液ポンプの図である。
【図６Ｂ】本発明の一実施形態にかかる誘導ユーザ支援システムを有する携帯式輸液ポンプの図である。
【図６Ｃ】本発明の一実施形態にかかる誘導ユーザ支援システムを有する携帯式輸液ポンプの図である。
【図６Ｄ】本発明の一実施形態にかかる誘導ユーザ支援システムを有する携帯式輸液ポンプの図である。
【図６Ｅ】本発明の一実施形態にかかる誘導ユーザ支援システムを有する携帯式輸液ポンプの図である。
【図６Ｆ】本発明の一実施形態にかかる誘導ユーザ支援システムを有する携帯式輸液ポンプの図である。
【０００７】
本発明は様々な変形および代替的形式に変更可能であるが、その具体例を例示のために図示し、以下詳細に説明する。しかしながら、その意図は本発明を記載される特定の実施形態に限定することではないと理解しておくべきである。逆に、添付の請求項に定義される本発明の精神と範囲に属するすべての変形、等価物、および代替物を対象とすることを目的とする。
【発明を実施するための形態】
【０００８】
本発明は、携帯式輸液システム用の誘導ユーザ支援システムに関する。一実施形態では、携帯式輸液システムはＳｍｉｔｈｓ  Ｍｅｄｉｃａｌ  ＡＳＤ社製のＣＡＤＤ−Ｓｏｌｉｓ（登録商標）携帯式輸液システムであってもよい。携帯式輸液システムは、Ｓｍｉｔｈｓ  Ｍｅｄｉｃａｌ  ＡＳＤ社に譲渡され、引用により全文を本明細書に組み込む共同所有の米国特許出願公開第２００８／００６５００７号、第２００８／００６５０１６号、および第２００８／０１３２８４４号に開示される種類のものであってもよい。
【０００９】
誘導ユーザ支援システムを使用することができる例示の携帯式輸液ポンプ１００を、図１および２に示す。携帯式輸液ポンプ１００は、プロセッサと、ポンピング機構の動作を制御するために選択された機能でプログラム可能なメモリとを有する制御システムを含む。携帯式輸液ポンプ１００は、制御システムへのコマンドを中継する制御モジュール１０１も含むことができる。制御モジュール１０１は、表示画面１０４および制御パッド１０６を有するユーザインタフェース１０２を含むことができる。制御モジュール１０１は電池ドア１０８も含むことができ、ドア１０８はドア１０８を施錠および開錠するノブ１１０を含み、ポンプ１００に電力を供給する電池を収容できる電池室を覆う。制御モジュール１０１は、ポンプ１００をオンオフする電源スイッチ１１２と、ポンプ１００をポンプ１００との連動するように設計されるソフトウェアを有するコンピュータに接続するＵＳＢポート１１４と、ポンプ１００に電力を供給するためのＡＣ電源コードを接続するＡＣ電源ジャック１１６と、患者管理の投薬を開始させる代替的方法を提供する遠隔投与コードを接続するための遠隔投与コードジャック１１８とをさらに含むことができる。
【００１０】
輸液ポンプ１００は、制御モジュール１０１に接続される交換可能なカセット１２０をさらに含むことができる。一実施形態では、カセット１２０は、患者に送達される薬剤を収容する容器を含む。管はカセット１２０から延在して、注入セットまたはカテーテルと連通して薬剤を患者に送達することができる。制御モジュール１０１は、カセットからの薬剤の流を制御するために使用することができる。このようなカセットの一例は、Ｓｍｉｔｈｓ  Ｍｅｄｉｃａｌ  ＡＳＤ社製のＣＡＤＤ（登録商標）薬剤カセット容器である。別の実施形態では、カセット１２０は、ＩＶバッグなどの遠隔薬剤容器と連動する管を含むことができる。管は容器からカセットに、次いで注入セットまたはカテーテルに延在することができ、管を通る薬剤の流れは制御モジュール１０１を用いて制御することができる。このようなカセットの一例は、Ｓｍｉｔｈｓ  Ｍｅｄｉｃａｌ  ＡＳＤ社製のＣＡＤＤ（登録商標）投与セットの一部である。カセット掛け金１２２は制御モジュール１０１に配置され、カセット１２０を挿入または取外しする、あるいはカセット１２０を制御モジュール１０１内に保持することができるように移動可能である。カセットロック１２４は、カセット１２０の偶発的な開錠や取り外しを防止するために閉位置に掛け金１２２をロックすることができる。カセットロック１２４は、偶発的な装置の開始、停止、または変更を防止するために制御パッド１０６をロックするように構成することができる。
【００１１】
輸液ポンプ１００は、空気検知器、下流閉塞センサ、上流閉塞センサ、およびカセットが適切に挿入され、掛け金をかけられ、ロックされているか否かを検出するセンサなど、複数のセンサも含むことができる。空気検知器は、患者に薬剤を送達する管内に空気が存在するか否かを検知するために使用することができる。下流閉塞はポンプと患者間の薬剤の流れを遮断する障害物であり、上流閉塞は遠隔容器とポンプ間の薬剤の流れを遮断する障害物である。下流および上流閉塞センサは、このような閉塞が存在するか否かを検知することができる。一実施形態では、下流および／または上流閉塞センサは、圧力および／または管内の力を感知することによって閉塞を検知する。
【００１２】
図３を参照すると、本発明の一実施形態にかかる携帯式輸液ポンプ１００用の制御モジュール１０１のユーザインタフェース１０２が示されている。上述したように、ユーザインタフェース１０２は概して、表示装置１０４および制御パッド１０６を含む。一実施形態では、表示装置１０４は液晶表示装置（ＬＣＤ）である。制御パッド１０６は、開始／停止キー１２６、一対のソフトキー１２８、１３０、一対のナビゲーションキー１３２、１３４、選択キー１３６、およびＰＣＡ投与量キー１３８を含むことができる。開始／停止キー１２６はポンプ送達を開始または停止するために使用することができる。ソフトキー１２８、１３０は、質問に回答する、あるいはソフトキー１２８、１３０の上方で表示装置１０２上に現れるオプションを選択するために使用することができる。ナビゲーションキー１３２、１３４により、ユーザは表示装置１０２上に出現するメニューをスクロールすることができ、選択キー１３６によりユーザはメニューから選択することができる。ＰＣＡ投与量キー１３８が有効である場合には、それにより患者は患者管理下の投与量で薬物を投与することができる。
【００１３】
携帯式輸液システムの誘導ユーザ支援システム２００の一実施形態を示すフローチャートが図４に示されている。最初に、エラーまたはその他の警報状態が２０２で検知され、２０４で音を出す、および／または表示されるように警報またはその他の通知を誘発する。エラーは、たとえば、上述のセンサのいずれかにより検知することができる。その他のエラーまたは警報状態も、その他の装置またはポンプ１００の一部によって検知することができる。いくつかの実施形態では、その後、ユーザは２０６で警報を静める、あるいは消去することができる。
【００１４】
次に、ユーザは誘導ユーザ支援システムに入り、２０８で第１のヘルプ画面を開始する。ヘルプ画面は、特定のエラー、警報、またはポンプ１００によって検知される状況を修正する可能な解決策をユーザに提供することができる。一実施形態では、誘導ユーザ支援システムは、検出されたエラーに対する一連の可能な解決策をユーザに提示する。表示される可能な解決策は、特定のエラーが発生する最も一般的な理由に関連させることができる。その後、ユーザは、２１０でエラー修正のための追加の可能な解決策を表示する追加のヘルプ画面を見るオプションを有することができる。一実施形態では、ヘルプ画面は、特定のエラーに関して可能性の高い原因順に表示される。
【００１５】
いったんすべての利用可能なヘルプ画面が視聴されたら、２１２で、ヘルプ画面に再び入るオプションをユーザに提供する、および／またはカスタマイズされた支援メッセージを提供する画面を表示させることができる。これは、ユーザがエラー状態をうまく解消できないまますべての利用可能なヘルプ画面を通過した場合に有効になり得る。カスタマイズされた支援メッセージは、たとえば、多数のカスタマヘルプラインまたは患者に割り当てられた多数の在宅医療援助を含むことができる。カスタマイズされた支援メッセージは、連絡を取る個人または団体のｅメールアドレス、ユニフォーム・リソース・ロケータ（ＵＲＬ）、または名称も含むことができる。シーケンスのどの時点でも、ユーザがヘルプ画面に従うことによってエラーを修正できた場合、誘導ユーザ支援システムは自動的にまたは手動で終了させることができ、ポンプは自動的にまたは手動で通常機能に戻すことができる。本発明の実施形態にかかる誘導ユーザ支援システムの動作を、図５Ａ〜５Ｄおよび６Ａ〜６Ｆを参照してさらに説明する。
【００１６】
図５Ａ〜５Ｄは、掛け金をかけられていないカセット１２０から生じるエラーに応答する誘導ユーザ支援システムの動作を示す。図５Ａでは、掛け金のかかっていないカセットのエラーが検知され、エラーをユーザに警告する警報が表示装置１０４上に視覚的にも聴覚的にも示される。次に、ユーザは右側ソフトキー１３０を押して可聴警報の音を止める、あるいは左側ソフトキー１２８を押して警報を認識し、警報画面を終了させるオプションを有する。これは、問題を手動で修正するために誘導ユーザ支援システムから抜けるオプションをユーザに提供する。この特徴は、装置に経験があって、エラー修正のための可能な解決策を与えられる必要がないユーザにとって有効である。ユーザが右側ソフトキー１３０を押して警報の音を消した場合、図５Ｂに示されるようにヘルプ画面を見るオプションが現れる。このオプションは右側ソフトキー１３０で選択することができる。
【００１７】
ユーザがヘルプオプションを選択する場合、図５Ｃに示されるようにユーザヘルプ画面が表示装置１０４上に出現する。ユーザヘルプ画面はエラー修正のための可能な解決策を表示し、可能な解決策を開示するために文字および／または図表を使用することができる。本例では、可能な解決策は単にカセットに掛け金をかけることである。ユーザが適切にカセットに掛け金をかけることができれば、エラーが修正されると警報が自動的にオフになる。カセットに掛け金をかけることができなければ、ユーザは右側ソフトキー１３０を選択して次の画面を見ることができる。本例では、システムは追加の可能な解決策を示唆しないため、図５Ｄに示されるように、カスタマイズされた支援メッセージを表示装置１０４上に示すことができる。ユーザは、右側ソフトキー１３０で「ヘルプ再試行」を選択することによってヘルプ画面に戻ることができる。ユーザは、左側ソフトキー１２８を選んでユーザに誘導ユーザ支援システム外で問題を修正させることによって、図５Ｄのカスタマイズされた支援メッセージから（あるいは、図５Ｃのヘルプ画面から）警告を認識することができる。カスタマイズされた支援メッセージは特定の患者向け、またはポンプをサポートする団体または医療施設向けにカスタマイズして、カスタマヘルプライン、在宅医療援助、ユーザがさらなる情報／支援を要求することができるその他のサービスプロバイダの電話番号を表示することができる。
【００１８】
図６Ａ〜６Ｆは、ポンプの動作中に下流閉塞センサによって検知される下流閉塞に応答する誘導ユーザ支援システムの動作を示す。図６Ａに示されるように、警報の音を止めた後、ユーザは右側ソフトキー１３０を選択することによってヘルプ画面を見る選択を行うことができる。プロセス中の任意の時点で、ユーザは、左側ソフトキー１２８を選択することによってポンプを停止する選択を行うことができる。図６Ｂは、流れを調節する可能な解決策をユーザに提供する第１のヘルプ画面を表示する。これで閉塞が取り除かれれば、輸液ポンプ１００は自動的にポンピング動作に戻ることができる。閉塞が継続すれば、ユーザは右側ソフトキー１３０で「次へ」を選択することができる。次いで、図６Ｃのように第２のヘルプ画面が現れる。このヘルプ画面は、管を解く可能な解決策を示唆する。図６Ｄおよび６Ｅに示される、ユーザが右側ソフトキー１３０を用いて進むことのできる追加のヘルプ画面は、留め具を解放し、管の端部のキャップを外す可能な解決策を示唆する。プロセス中の任意の時点で、可能な解決策が閉塞を取り除けば、警報は自動的に終了し、ポンプは通常動作を再開することができる。いったんユーザが利用可能なヘルプ画面のすべてを巡回すれば、図６Ｆに示されるようにカスタマイズされた支援メッセージが表示されて、ユーザはヘルプ画面に再び入り、追加の支援を要求する番号を提供される。
【００１９】
上述の誘導ユーザ支援システムは、携帯式輸液システムに適用可能なその他のエラー／警報メッセージで採用され得る。誘導ユーザ支援システムは、在宅医療援助またはその他の医療専門家を呼ぶ必要なくエラー修正のための可能な解決策を、専門的に訓練されていないユーザに提供する。システムは、携帯式輸液ポンプに適用可能なすべての警報で採用され得る、あるいは警報の一部で提供され得る。誘導ユーザ支援システムを採用できるその他の警報／エラーはたとえば、管内の空気、上流閉塞、ポンピング機構の動作に関連するエラー、電池またはその他の電源に関連するエラー、不適切な治療送達設定、容器内の薬剤の不足、不適切なカセット、適切に装填または施錠されていないカセット、不適切なキー挿入、ＰＣＡ投与コードまたはその他の外部付属物のエラー、および一つ以上の故障センサなどである。
【００２０】
システム、装置、および方法の各種実施形態をここで説明してきた。これらの実施形態は単に例示のために提供されており、本発明の範囲を限定することを目的としていない。さらに、説明した実施形態の各種特徴を様々な形態で組み合わせて、多数の追加の実施形態を生み出すことができると認識すべきである。さらに、開示される実施形態で使用される様々な材料、寸法、形状、注入位置などを説明したが、開示されるのとは異なるものも本発明の範囲を逸脱せずに利用することができる。
【００２１】
当業者であれば、本発明は上述の個々の実施形態において示される特徴よりも少ない特徴を備えることができると認識するであろう。ここに記載の実施形態は、本発明の各種特徴を組み合わせることができる形態を包括的に提示することを目的としていない。したがって、実施形態は相互に排他的な特徴の組み合わせではなく、本発明は当業者によって理解されるように、個々の様々な実施形態から選択される個々の様々な特徴の組み合わせを備えることができる。
【００２２】
上記文献の引用による組込みは、本明細書の明確な開示に反する主題が組み込まれないように限定される。さらに、上記文献の引用による組込みは、文献に含まれる請求項が引用により本明細書に組み込まれないように限定される。さらに、上記文献の引用による組込みは、文献で提供される定義が本明細書に明確に含まれない限り引用により本明細書に組み込まれないように限定される。
【００２３】
本発明の請求項を解釈する目的で、特定の文言である「手段」または「ステップ」が請求項で記載されない限り、米国特許法第１１２条第６段落の条項は行使されないことを明確に述べておく。
【図１】
0005922030.tif 000002
【図２】
0005922030.tif 000003
【図３】
0005922030.tif 000004
【図５Ａ】
0005922030.tif 000005
【図５Ｂ】
0005922030.tif 000006
【図５Ｃ】
0005922030.tif 000007
【図５Ｄ】
0005922030.tif 000008
【図６Ａ】
0005922030.tif 000009
【図６Ｂ】
0005922030.tif 000010
【図６Ｃ】
0005922030.tif 000011
【図６Ｄ】
0005922030.tif 000012
【図６Ｅ】
0005922030.tif 000013
【図６Ｆ】
0005922030.tif 000014
【図４】
0005922030.tif 000015